(57)【要約】【課題】複数の映像表示装置に映像の表示を分担させる際に消費電力を削減することが可能な信号出力装置を提供する。【解決手段】第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力する信号出力部を備える、信号出力装置が提供される。【選択図】図１
2015001549.tif 000002
【特許請求の範囲】
【請求項１】
第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力する信号出力部を備える、信号出力装置。
【請求項２】
分割された前記デジタル映像信号を表示させる情報が付与された画像情報を出力する画像情報出力部を更に備える、請求項１に記載の信号出力装置。
【請求項３】
前記画像情報はフレームごとに付加される、請求項２に記載の信号出力装置。
【請求項４】
前記信号出力部は、前記第１の解像度に前記第１のフレームレートを乗じたものと、前記第２の解像度の水平方向の画素数が同一であり、かつ垂直方向の画素数が倍である第３の解像度に第３のフレームレートを乗じたものとが一致する該第３のフレームレートで前記デジタル映像信号を出力する、請求項１に記載の信号出力装置。
【請求項５】
前記デジタル映像信号を蓄積する記憶部をさらに備え、
前記記憶部は、前記第２の解像度の画素数に合わせたバンク構造を構成し、入力される前記デジタル映像信号を分割領域ごとに異なるバンクメモリに蓄積する、請求項１に記載の信号出力装置。
【請求項６】
第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力するステップを備える、信号出力方法。
【請求項７】
第１の解像度及び第１のフレームレートを有するデジタル映像信号から生成される、前記第１の解像度より低い第２の解像度及び前記第１の解像度に前記第１のフレームレートを乗じたものと、前記第２の解像度に第２のフレームレートを乗じたものとが一致する該第２のフレームレートからなる非圧縮のデジタル映像信号を受信する受信部と、
前記デジタル映像信号の内、自装置が表示を担当するフレームのみを抽出する画像抽出部と、
を備える、映像表示装置。
【請求項８】
分割された前記デジタル映像信号を表示させる情報が付与された画像情報を取得する画像情報取得部を更に備える、請求項７に記載の映像表示装置。
【請求項９】
前記画像抽出部が抽出したフレームのデジタル映像信号に基づき映像を表示する表示部を備え、
前記表示部は、前記画像情報に含まれる遅延時間の情報に基づいて映像を遅延させて表示する、請求項８に記載の映像表示装置。
【発明の詳細な説明】
【技術分野】
【０００１】
本開示は、信号出力装置、信号出力方法、及び映像表示装置に関する。
【背景技術】
【０００２】
デジタル映像技術の発達に伴い、いわゆる４Ｋと呼ばれている、水平画素数が４０００前後、垂直画素数が２０００前後の画面解像度を持つ動画フォーマットの実用化が進められている。さらにこの４Ｋを上回る、水平画素数が７６８０、垂直画素数が４３２０の画面解像度を持つ動画フォーマットについての研究開発も進められている。
【０００３】
このような画面解像度を持つ動画フォーマットにおいては、１つのディスプレイではなく、複数のディスプレイに映像の表示を分担させることが行われている。デジタル映像信号を複数のディスプレイに伝送する際に、映像を送出する側は線順次の画像データで伝送し、個々のディスプレイ側は、表示すべき領域を検出して抽出する方法が用いられる。このような映像の伝送や抽出の技術が、例えば特許文献１、２に開示されている。
【先行技術文献】
【特許文献】
【０００４】
【特許文献１】特開２００８−９６７４６号公報
【特許文献２】特開平９−２０４１６４号公報
【発明の概要】
【発明が解決しようとする課題】
【０００５】
伝送されるデジタル映像信号の解像度が変更されると、ディスプレイ側は、表示すべき領域を検出する際に使用する領域データを変更する必要があった。またディスプレイ側は、デジタル映像信号の映像データの全画面期間中に、抽出判定処理と映像データの取得処理を行なうための回路を動作状態にする必要があり、消費電力の増加に繋がっていた。
【０００６】
そこで本開示は、複数の映像表示装置に映像の表示を分担させる際に消費電力を削減することが可能な、新規かつ改良された信号出力装置、信号出力方法、及び映像表示装置を提供する。
【課題を解決するための手段】
【０００７】
本開示によれば、第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力する信号出力部を備える、信号出力装置が提供される。
【０００８】
また本開示によれば、第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力するステップを備える、信号出力方法が提供される。
【０００９】
また本開示によれば、第１の解像度及び第１のフレームレートを有するデジタル映像信号から生成される、前記第１の解像度より低い第２の解像度及び前記第１の解像度に前記第１のフレームレートを乗じたものと、前記第２の解像度に第２のフレームレートを乗じたものとが一致する該第２のフレームレートからなる非圧縮のデジタル映像信号を受信する受信部と、前記デジタル映像信号の内、自装置が表示を担当するフレームのみを抽出する画像抽出部と、を備える、映像表示装置が提供される。
【発明の効果】
【００１０】
以上説明したように本開示によれば、複数の映像表示装置に映像の表示を分担させる際に消費電力を削減することが可能な、新規かつ改良された信号出力装置、信号出力方法、及び映像表示装置を提供することができる。
【図面の簡単な説明】
【００１１】
【図１】本開示の一実施形態にかかる映像伝送システム１の構成例を示す説明図である。
【図２】本開示の一実施形態に係る映像送出装置１００の機能構成例を示す説明図である。
【図３】映像処理部１１０による映像処理の例を概念的に示す説明図である。
【図４】映像処理部１１０による映像処理の例を概念的に示す説明図である。
【図５】映像処理部１１０で生成される付加情報の例を示す説明図である。
【図６】デジタル映像信号と付加情報のデータ構造の一例を示す説明図である。
【図７】本開示の一実施形態に係る映像表示装置２００の機能構成例を示す説明図である。
【図８】映像処理部２４０から受信部２１０へ出力される間欠受信指示の概念図を示す説明図である。
【図９】本開示の一実施形態に係る映像送出装置１００の動作例を示す流れ図である。
【図１０】本開示の一実施形態に係る映像表示装置２００の動作例を示す流れ図である。
【図１１】本開示の一実施形態にかかる映像伝送システム１の構成例を示す説明図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
＜１．本開示の一実施形態＞
［概要］
［システム構成例］
［映像送出装置の機能構成例］
［映像表示装置の機能構成例］
［映像送出装置の動作例］
［映像表示装置の動作例］
＜２．まとめ＞
【００１４】
＜１．本開示の一実施形態＞
［概要］
まず、本開示の好適な実施の形態について詳細に説明するにあたり、本開示の概要を説明する。上述したように、デジタル映像技術の発達に伴い、いわゆる４Ｋと呼ばれている、水平画素数が４０００前後、垂直画素数が２０００前後の画面解像度を持つ動画フォーマットや、この４Ｋを上回る、水平画素数が７６８０、垂直画素数が４３２０の画面解像度を持つ動画フォーマットについての研究開発が進められている。このような映像フォーマットの映像を、１つのディスプレイではなく、複数のディスプレイに分担して表示させることが行われている。
【００１５】
４Ｋ以上の解像度を有するようなデジタル映像信号を複数のディスプレイに伝送する際に、例えば、映像を送出する側は線順次の画像データで伝送し、個々のディスプレイ側は、表示すべき領域を検出して抽出する方法が用いられることがある。
【００１６】
しかし、ディスプレイへ伝送されるデジタル映像信号の解像度が変更されると、デジタル映像信号に基づいて映像を表示するディスプレイは、表示すべき領域を検出する際に使用する領域データを変更する必要があった。またディスプレイ側は、デジタル映像信号の映像データの全画面期間中に、映像データの取得処理や自装置で表示すべき領域を抽出するための抽出判定処理を行なうための回路を動作状態にする必要があり、これが消費電力の増加に繋がっていた。
【００１７】
そこで、以下で説明する本開示の好適な実施の形態では、上述のような高解像度の映像フォーマットによる映像を複数のディスプレイに分担して表示させる際に、ディスプレイ側での消費電力を削減することが可能な技術について説明する。
【００１８】
［システム構成例］
続いて、図面を参照しながら、本開示の好適な実施の形態について説明する。図１は、本開示の一実施形態にかかる映像伝送システム１の構成例を示す説明図である。図１に示した映像伝送システム１は、複数のディスプレイで分担して映像を表示させるシステムである。以下、図１を用いて本開示の一実施形態にかかる映像伝送システム１の構成例について説明する。
【００１９】
図１に示したように、本開示の一実施形態にかかる映像伝送システム１は、映像送出装置１００と、映像表示装置２００ａ〜２００ｄと、を含んで構成される。図１に示した本開示の一実施形態にかかる映像伝送システム１は、映像送出装置１００から送出される非圧縮の（符号化されていない）映像信号を映像表示装置２００ａ〜２００ｄに伝送し、映像表示装置２００ａ〜２００ｄで映像を分担して表示させるシステムである。
【００２０】
本実施形態では、映像送出装置１００から送出される映像信号は、４Ｋや８Ｋのような水平画素数が４０００〜８０００程度の画面解像度を持つ動画フォーマットの映像信号であるとする。もちろん上述したもの以外の画面解像度を持つ動画フォーマットの映像信号であっても、以下で説明する技術を同様に適用可能であることは言うまでもない。
【００２１】
図１に示した本開示の一実施形態にかかる映像伝送システム１では、映像送出装置１００から送出される映像信号が、映像表示装置２００ａ、２００ｂ、２００ｄ、２００ｃの順に伝送される。各映像表示装置２００ａ〜２００ｄは、予め自装置で担当する領域を把握しておき、映像送出装置１００から送出される映像信号を受信すると、その映像信号の中から自装置で担当するものを抽出して表示する。
【００２２】
そして図１に示した本開示の一実施形態にかかる映像伝送システム１では、映像送出装置１００は、映像表示装置２００ａ〜２００ｄに表示させる映像の基となる映像信号を、映像表示装置２００ａ〜２００ｄの表示解像度や映像表示装置２００ａ〜２００ｄの数（図１の例では４つ）に合わせて分割して伝送する。
【００２３】
映像送出装置１００は、デジタル映像信号入力１１から入力されたデジタル映像信号を、内部に設けられたメモリに蓄積し、伝送路１２に接続された映像表示装置２００ａ〜２００ｄの構成数に応じてデジタル映像信号を分割する。そして映像送出装置１００は、デジタル映像信号入力１１から入力されたデジタル映像信号のフレームレートとは異なるフレームレートで伝送路１２に出力する。伝送路１２は、例えば、４Ｋや８Ｋのような水平画素数が４０００〜８０００程度の画面解像度を持つ動画フォーマットの映像信号を伝送する、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ、登録商標）ケーブルその他の映像伝送用のケーブルであり得る。
【００２４】
また映像出力装置１００は、デジタル映像信号の分割の際に、映像表示装置２００ａ〜２００ｄで映像を表示する際に用いられる付加情報を生成する。映像出力装置１００は、生成した付加情報を、送出するデジタル映像信号に付加するか、図１には図示されない別の伝送路を用いて映像表示装置２００ａ〜２００ｄへ出力する。
【００２５】
映像表示装置２００ａ〜２００ｄは、映像送出装置１００から伝送路１２へ伝送される、映像送出装置１００で分割されたデジタル映像信号及び映像送出装置１００で生成された付加情報を受信し、付加情報に基づき表示すべきフレームを検出する。映像表示装置２００ａ〜２００ｄは、付加情報に基づき表示すべきフレームを検出することで、映像信号を間欠的に取得することができる。本実施形態では、映像表示装置２００ａ〜２００ｄでの映像信号の間欠的な取得を間欠受信とも称する。そして映像表示装置２００ａ〜２００ｄは、伝送されるフレームから自装置の表示に該当するフレームを抽出し、映像信号に基づいた映像の表示を行う。
【００２６】
映像送出装置１００は、映像信号を映像表示装置２００ａ〜２００ｄの表示解像度や映像表示装置２００ａ〜２００ｄの数に合わせて分割して伝送し、映像表示装置２００ａ〜２００ｄでは分割して伝送される映像信号を間欠受信することで、本開示の一実施形態にかかる映像伝送システム１は、映像表示装置２００ａ〜２００ｄの消費電力削減に寄与できる。
【００２７】
図１に示した例では、上述したように、デジタル映像信号が映像表示装置２００ａ、２００ｂ、２００ｄ、２００ｃの順に伝送される。映像表示装置２００ａ、２００ｂ、２００ｃ、２００ｄは、お互いにＨＤＭＩケーブルその他の高精細度以上の映像を伝送するための映像伝送ケーブルで接続されてもよい。
【００２８】
なお、図１に示した例では、映像表示装置２００ａ〜２００ｄが縦に２つ、横に２つ配置されているが、本開示では、映像表示装置２００ａ〜２００ｄの配置は係る例に限定されるものではない。例えば本開示では、全ての映像表示装置が横又は縦一列に配置されていても良い。また例えば本開示では、縦に２つ、横に２つの配列数に映像表示装置の構成が限定されるものではない。
【００２９】
以上、本開示の一実施形態に係る映像伝送システム１の構成例について説明した。続いて、本開示の一実施形態に係る映像送出装置１００の機能構成例について説明する。
【００３０】
［映像送出装置の機能構成例］
図２は、本開示の一実施形態に係る映像送出装置１００の機能構成例を示す説明図である。以下、図２を用いて本開示の一実施形態に係る映像送出装置１００の機能構成例について説明する。
【００３１】
図２に示した本開示の一実施形態に係る映像送出装置１００は、映像表示装置２００ａ〜２００ｄに分担して表示させる映像の基となるデジタル映像信号を送出する装置である。図２に示したように、本開示の一実施形態に係る映像送出装置１００は、映像処理部１１０と、メモリ１２０ａ、１２０ｂ、１２０ｃ、１２０ｄ、・・・と、付加情報挿入部１３０と、送出部１４０と、を含んで構成される。
【００３２】
映像処理部１１０は、デジタル映像信号入力１１から入力されたデジタル映像信号に対する映像処理を実行する。具体的には、映像処理部１１０は、デジタル映像信号入力１１から入力されたデジタル映像信号を、伝送路１２に接続された映像表示装置２００ａ〜２００ｄの構成数に応じて、映像送出装置１００の内部に設けられたメモリ１２０ａ、１２０ｂ、１２０ｃ、１２０ｄ、・・・に蓄積する。
【００３３】
例えば、デジタル映像信号入力１１から入力されるデジタル映像信号が、４Ｋ（横３８４０×縦２１６０）の画素数を持っており、そのデジタル映像信号による映像を、図１のように４台の映像表示装置２００ａ〜２００ｄに分担して表示させる場合を考える。映像処理部１１０は、メモリ１２０ａには１〜１９２０番目の水平画素及び１〜１０８０番目の垂直画素を蓄積する様に動作する。映像処理部１１０は、同様に、メモリ１２０ｂには１９２１〜３８４０番目の水平画素及び１〜１０８０番目の垂直画素を、メモリ１２０ｃには１〜１９２０番目の水平画素及び１９８１〜２１６０番目の垂直画素を、メモリ１２０ｄには１９２１〜３８４０番目の水平画素及び１０８１〜２１６０番目の垂直画素を、それぞれ蓄積する様に動作する。従って、映像処理部１１０は本開示の分割部の一例として機能する。
【００３４】
そして映像処理部１１０は、メモリ１２０ａ、１２０ｂ、１２０ｃ、１２０ｄ、・・・に蓄積した分割後のデジタル映像信号を、そのメモリ１２０ａ、１２０ｂ、１２０ｃ、１２０ｄから順次読み出して、デジタル映像信号入力１１から入力されたデジタル映像信号のフレームレートとは異なるフレームレートで伝送路１２に出力する。
【００３５】
この様に、分割後のデジタル映像信号の画素数に合わせてメモリ１２０ａ、１２０ｂ、１２０ｃ、１２０ｄ、・・・への蓄積処理を行うことで、映像処理部１１０は、デジタル映像信号を伝送路１２へ出力する際、メモリ１２０ａ、１２０ｂ、１２０ｃ、１２０ｄ、・・・毎にそれぞれ１フレーム内に画像データを読み出せる。従って、映像処理部１１０の回路構成は簡素化される。
【００３６】
また、このように分割後のデジタル映像信号の画素数に合わせてメモリ１２０ａ、１２０ｂ、１２０ｃ、１２０ｄ、・・・への蓄積処理を行うことで、さらなる効果がもたらされる。例えば、１つの映像表示装置２００で表示させる映像を他の映像表示装置２００で表示させる映像とは異なる映像に切り替える際には、映像処理部１１０は、その映像表示装置２００に表示させる映像の基となるデジタル映像信号が格納されるメモリの内容のみを書き換えれば良い。
【００３７】
図３は、映像処理部１１０による映像処理の例を概念的に示す説明図である。図３に示す例では、デジタル映像信号入力１１から入力されるデジタル映像信号のフレームレートを第一のフレームレートとし、解像度を第一の解像度とする。映像処理部１１０は、このデジタル映像信号による映像を、図１のように４台の映像表示装置２００ａ〜２００ｄに分担して表示させるために図３に示したように、第一の解像度より小さい第二の解像度に分割する。
【００３８】
デジタル映像信号入力１１から入力されるデジタル映像信号が、４Ｋ（横３８４０×縦２１６０）の画素数を持っている場合は、第一の解像度は横３８４０×縦２１６０であり、第二の解像度は横１９２０×縦１０８０である。すなわち、第一の解像度＞第二の解像度であり、かつ第一の解像度＝Ｎ（本実施例では４）×第二の解像度の関係が成り立つ。映像処理部１１０は、図３に示したようにデジタル映像信号を分割して、メモリ１２０ａ、１２０ｂ、１２０ｃ、１２０ｄ、・・・に蓄積する。
【００３９】
そして映像処理部１１０は、メモリ１２０ａ、１２０ｂ、１２０ｃ、１２０ｄ、・・・に蓄積したデジタル映像信号を、デジタル映像信号入力１１から入力されたデジタル映像信号のフレームレート（第一のフレームレート）とは異なる第二のフレームレートで伝送路１２に出力する。この際映像処理部は、第一のフレームレート＜第二のフレームレートであり、かつ第二のフレームレート＝Ｎ（本実施例では４）×第一のフレームレートとなるように第二のフレームレートを決定する。
【００４０】
映像処理部１１０は、デジタル映像信号を映像表示装置２００ａ〜２００ｄに出力する際、入力されたデジタル映像信号のフレームレートＦに対し、映像表示装置２００ａ〜２００ｄの構成数倍（Ｎ倍）のフレームレート（Ｆ×Ｎ）で、メモリ１２０ａ、１２０ｂ、１２０ｃ、１２０ｄ、・・・から順次映像信号を読み出す。そして映像処理部１１０は、読みだした映像信号を送出部１４０へ出力する。
【００４１】
例えば、映像処理部１１０は、入力されたデジタル映像信号のフレームレートが６０Ｈｚであり、４つの映像表示装置２００ａ〜２００ｄに映像の表示を分担させる場合は、メモリ１２０ａ、１２０ｂ、１２０ｃ、１２０ｄ、・・・から読み出して生成した、フレームレートが２４０Ｈｚのデジタル映像信号を送出部１４０へ出力する。
【００４２】
図４は、映像処理部１１０による映像処理の別の例を概念的に示す説明図である。図３に示した例では、第二のフレームレートが第一のフレームレートの４倍となるように、映像処理部１１０が第二のフレームレートを決定した。しかし、映像表示装置２００ａ〜２００ｄでそのフレームレートがサポートされていない等の理由で、第一のフレームレートの４倍までフレームレートを上げられない場合も考えられる。
【００４３】
例えば、上述した例では、映像処理部１１０はフレームレートが２４０Ｈｚのデジタル映像信号を送出部１４０へ出力しても、フレームレートが２４０Ｈｚのデジタル映像信号に基づく映像の表示を映像表示装置２００ａ〜２００ｄがサポートしていない場合があり得る。
【００４４】
そのような場合を考慮し、図４に示す例では、映像処理部１１０は第一の解像度は横３８４０×縦２１６０である場合に、第三の解像度が横１９２０×縦２１６０となるように映像信号を分割する。この場合は、映像処理部１１０はデジタル映像信号を横方向に２つに分割するので、デジタル映像信号を蓄積するメモリの数も２つになる。ここでは映像処理部１１０はメモリ１２０ａ、１２０ｂに分割したデジタル映像信号を蓄積するとする。
【００４５】
映像処理部１１０は、メモリ１２０ａ、１２０ｂに蓄積したデジタル映像信号を、デジタル映像信号入力１１から入力されたデジタル映像信号のフレームレート（第一のフレームレート）とは異なる第三のフレームレートで伝送路１２に出力する。この際映像処理部は、第一のフレームレート＜第三のフレームレートであり、かつ第三のフレームレート＝Ｎ（本実施例では２）×第一のフレームレートとなるように第三のフレームレートを決定する。
【００４６】
また映像処理部１１０は、映像信号の分割及び分割後の映像信号の蓄積にあたり、分割蓄積されたデジタル映像信号の情報（以下「付加情報」とも称する）を生成する。生成する情報は付加情報挿入部１３０へ送る。
【００４７】
図５は、映像処理部１１０で映像信号を分割する際に映像処理部１１０が生成する付加情報の例を示す説明図である。図５に示したのは、映像処理部１１０が生成する付加情報のデータの種類及びデータ構造の一例であり、付加情報のデータ構造やデータの種類は係る例に限定されないことは言うまでもない。
【００４８】
＃０のデータ領域には、伝送路１２で伝送される映像信号の各フレームの番号（例えば１〜Ｍ）が格納される。図５に示す例では、＃０のデータ領域には１バイトが割り当てられるとする。図１で示された映像伝送システム１を例に挙げれば、映像伝送システム１は４台の映像表示装置２００ａ〜２００ｄで構成されているため、フレーム番号は１〜４の繰り返し、又は１から、割当てられた１バイトで表現出来る最大の数である２５６の繰り返しの番号とし得る。
【００４９】
＃１のデータ領域には、伝送路１２で伝送される映像信号のフレームレートが格納される。図５に示す例では、＃１のデータ領域には１バイトが割り当てられるとする。伝送路１２で伝送される映像信号のフレームレートの情報は、映像表示装置２００ａ〜２００ｄで映像信号の間欠受信を行うための繰り返し周期と、その間欠受信を行なう時間を決定するための情報である。
【００５０】
＃１のデータ領域に格納されるデータの表現方法としては、例えば、上位５ビットは整数倍データ（１〜３２）を、下位３ビットは、映像信号入力１１から入力されるデジタル映像信号の本来のフレームレートの最小公倍数である２４Ｈｚ、２５Ｈｚ、３０Ｈｚのいずれかを指定する。
【００５１】
＃２〜＃３のデータ領域の画素数Ｈと、＃４〜＃５のデータ領域の画素数Ｖは、伝送路１２で伝送される映像信号での各フレームの水平画素数及び垂直画素数が格納される。図５に示す例では、画素数Ｈ、画素数Ｖにはそれぞれ２バイトが割り当てられるとする。映像処理部１１０でＮ分割されたデジタル映像信号の水平画素数及び垂直画素数が、各映像表示装置２００ａ〜２００ｄで表示することができる表示画素数と異なる場合がある。各映像表示装置２００ａ〜２００ｄは画素数Ｈ及び画素数Ｖの情報から、自装置での表示に必要な映像処理（拡大処理や縮小処理）を行うことができる。
【００５２】
＃６のデータ領域の遅延時間は、各映像表示装置２００ａ〜２００ｄで表示する映像が同期されるための情報が格納される。例えば、＃６のデータ領域の遅延時間には、ｘ番目のフレームと、ｘ＋Ｎ−１番目のフレームとの間の表示遅延情報が挿入される。図５に示す例では、遅延時間には１バイトが割り当てられるとする。
【００５３】
例えば、伝送路１２で伝送される映像信号のフレームレートが２４０Ｈｚであり、図１に示したように４つの映像表示装置２００ａ〜２００ｄで映像を分担して表示する構成であれば、第一のフレームには、４×１０００ｍＳ／２４０Ｈｚ＝１６．７ｍＳ、第二のフレームには３ｘ１０００ｍＳ／２４０Ｈｚ＝１２．５ｍＳ、第三のフレームには２ｘ１０００ｍＳ／２４０Ｈｚ＝８．３ｍＳ、第四のフレームには０ｍＳが、それぞれ遅延時間の情報として挿入される。
【００５４】
この遅延時間情報は、フレーム番号、フレームレート、構成画面数Ｎ、表示順番からも演算可能である。後述するが、各映像表示装置２００ａ〜２００ｄは、事前に構成画面数Ｎと表示順番を記憶しておくが、それぞれの映像フレームに付加情報が挿入される場合は、表示順番のみ判れば、各映像表示装置２００ａ〜２００ｄは遅延時間情報を演算で求めることが出来る。
【００５５】
付加情報挿入部１３０は、映像処理部１１０で生成された付加情報を、送出部１４０から送出する映像信号のフレームレート（Ｆ×Ｎ）のタイミングで送出部１４０へ出力する。付加情報挿入部１３０が送出部１４０へ送出する付加情報は例えば上述したものである。
【００５６】
図６は、映像処理部１１０で生成されたデジタル映像信号と、付加情報挿入部１３０から送出部１４０へ出力された付加情報のデータ構造の一例を示す説明図である。映像処理部１１０で生成された７バイトの付加情報と２５バイトのヌルパケットの合計３２バイトを連続するパケットとして、映像処理部１１０から出力されるデジタル映像信号に挿入される。もちろん、パケットのバイト数やパケットの構造はこの限りではなく、いかなる構成をとってもよい。
【００５７】
送出部１４０は、付加情報挿入部１３０から入力された付加情報を、映像処理部１１０から入力されたデジタル映像信号の各映像フレームに挿入する。そして送出部１４０は、付加情報が挿入されたデジタル映像信号を伝送路１２へ出力する。従って、送出部１４０は本開示の信号出力部の一例として機能する。
【００５８】
なお、図２の例では伝送路１２を介して付加情報を映像表示装置２００ａ〜２００ｄへ伝送する構成を示したが、本開示は係る例に限定されるものではない。例えば、付加情報挿入部１３０は、デジタル映像信号が伝送される伝送路１２とは異なる伝送路１３を用いて、デジタル映像信号とは独立して、付加情報を映像表示装置２００ａ〜２００ｄへ伝送するように構成され得る。この伝送路１３は、例えばＬＡＮケーブル等の有線のケーブルであってもよく、無線ＬＡＮ等による無線の通信路であってもよい。
【００５９】
図２に示した機能構成例では、映像送出装置１００は、デジタル映像信号入力１１から入力されたデジタル映像信号に対して分割処理を行ったり、付加情報を生成したりしていたが、本開示は係る例に限定されるものではない。映像送出装置１００は、内部に保持しているデジタル映像信号に対して分割処理を行ったり、付加情報を生成したりしてもよい。
【００６０】
以上、図２を用いて本開示の一実施形態に係る映像送出装置１００の機能構成例について説明した。続いて、本開示の一実施形態に係る映像表示装置２００ａ〜２００ｄの機能構成例について説明する。
【００６１】
［映像表示装置の機能構成例］
図７は、本開示の一実施形態に係る映像表示装置２００ａ〜２００ｄ（以下、単に映像表示装置２００と称することもある）の機能構成例を示す説明図である。図７に示した映像表示装置２００は、映像送出装置１００から伝送されるデジタル映像信号に基づいた映像の表示を行なう装置である。以下、図７を用いて本開示の一実施形態に係る映像表示装置２００の機能構成例について説明する。
【００６２】
図７に示したように、本開示の一実施形態に係る映像表示装置２００は、受信部２１０と、付加情報判定部２２０と、記憶部２３０と、映像処理部２４０と、映像メモリ２５０と、表示部２６０と、送信部２７０と、を含んで構成される。
【００６３】
受信部２１０は、映像送出装置１００から伝送路１２へ送出されたデジタル映像信号を伝送路１２から受信する。受信部２１０が受信するデジタル映像信号は、例えば、映像送出装置１００に入力されたデジタル映像信号のフレームレートＦに対し、映像表示装置２００ａ〜２００ｄの構成数倍（Ｎ倍）のフレームレート（Ｆ×Ｎ）の信号である。
【００６４】
受信部２１０は、伝送路１２から受信したデジタル映像信号を送信部２７０に出力する。また、受信部２１０は、映像処理部２４０からの間欠受信指示に従い、間欠受信している期間に受信した映像フレームの中から付加情報を抽出し、付加情報判定部２２０に出力すると共に、受信した映像フレームのデジタル映像信号を映像処理部２４０へ出力する。
【００６５】
付加情報判定部２２０は、記憶部２３０に記憶された表示順番情報を読み出し、受信部２１０で抽出した付加情報のフレーム番号と、読みだした表示順番情報との一致を判定する。そして付加情報判定部２２０は、フレーム番号と表示順番情報とが一致していれば、受信部２１０での間欠受信動作に必要なタイミング情報を映像処理部２４０へ出力する。
【００６６】
なお、付加情報判定部２２０は、デジタル映像信号が伝送される伝送路１２とは異なる伝送路１３を介して伝送される付加情報を受信して、その受信した付加情報を判定してもよい。上述したように、デジタル映像信号が伝送される伝送路１２とは異なる伝送路１３は、例えばＬＡＮケーブル等の有線のケーブルであってもよく、無線ＬＡＮ等による無線の通信路であってもよい。
【００６７】
映像処理部２４０は、付加情報判定部２２０から送られたタイミング情報に基づき、受信部２１０が動作するタイミング情報を生成して、受信部２１０へ出力する。また映像処理部２４０は、受信部２１０へ出力したタイミング情報に基づき、受信部２１０から渡されるデジタル映像信号を、映像メモリ２５０に蓄積する。そして映像処理部２４０は、付加情報判定部２２０から送られた、付加情報に含まれる遅延情報に基づき、蓄積したデジタル映像信号を映像メモリ２５０から読み出して、表示部２６０へ出力する。
【００６８】
映像処理部２４０は、付加情報判定部２２０が取得した付加情報に含まれる解像度の情報を参照した結果、映像メモリ２５０へ蓄積したデジタル映像信号の解像度が表示部２６０の解像度と異なる場合は、表示部２６０の解像度に合うように、映像メモリ２５０から読みだしたデジタル映像信号に対し、スケーリング処理（拡大又は縮小する処理）を行ってもよい。
【００６９】
映像メモリ２５０は、映像処理部２４０が受信部２１０から取得した映像信号を格納するメモリである。映像メモリ２５０の容量は、映像処理部２４０が受信部２１０から取得した映像信号を格納できるものであれば特定の容量に限定されるものではない。
【００７０】
表示部２６０は、映像処理部２４０から送られるデジタル映像信号に基づいた映像を表示する。表示部２６０には、例えば液晶ディスプレイパネルや有機ＥＬディスプレイパネル等の表示デバイスが用いられ得る。
【００７１】
送信部２７０は、受信部２１０が伝送路１２から受信したデジタル映像信号を受け取り、そのまま後段の映像表示装置２００へ向けて出力する。後段の映像表示装置２００は、前段の映像表示装置２００から受信したデジタル映像信号に基づいて自装置で表示すべき映像を表示することができる。
【００７２】
図８は、映像処理部２４０から受信部２１０へ出力される間欠受信指示の概念図を示す説明図である。例えば、４台の映像表示装置２００で分担して映像を出力する構成の場合、第１番目の映像表示装置２００ａはフレーム番号が「１」のフレームを受信し、第２番目の映像表示装置２００ｂはフレーム番号が「２」のフレームを受信するとする。付加情報判定部２２０で得られたフレームレート情報から、フレームの繰り返し周期４Ｔが判明するので、受信部２１０は、その４分の１のＴ区間のみフレーム画像を抽出する動作を実行すればよい。
【００７３】
第１番目の映像表示装置２００ａでは、受信部２１０は、デジタル映像信号の伝送が開始されると、まずはフレーム番号「１」が一致するフレームが識別出来るまでは全フレームを受信する。映像処理部２４０は、フレーム番号「１」が一致するフレームが識別出来るようになると、映像表示装置２００に備えられたタイミング発生回路（図示せず）から得られる基準信号を基に、受信部２１０へ出力されるデジタル映像信号の間欠受信指示を生成する。
【００７４】
同様に第２番目の映像表示装置２００ｂでは、受信部２１０は、デジタル映像信号の伝送が開始されると、まずはフレーム番号「２」が一致するフレームが識別出来るまでは全フレームを受信する。映像処理部２４０は、フレーム番号「２」が一致するフレームが識別出来るようになると、映像表示装置２００に備えられたタイミング発生回路（図示せず）から得られる基準信号を基に、受信部２１０へ出力される間欠受信指示を生成する。
【００７５】
本開示の一実施形態に係る映像表示装置２００は、図７に示した構成を有することで、伝送されるデジタル映像信号の全ての区間でなく、自装置が表示を担当する映像が伝送される区間のみ、受信部２１０を動作させることができる。すなわち、本開示の一実施形態に係る映像表示装置２００は、受信部２１０にデジタル映像信号を間欠受信させることができる、このように、受信部２１０にデジタル映像信号を間欠受信させることで、本開示の一実施形態に係る映像表示装置２００は、複数の映像表示装置２００が映像の表示を分担する際に、消費電力を削減することができる。
【００７６】
本開示の一実施形態に係る映像表示装置２００は、予め映像送出装置１００で解像度及びフレームレートが変更されたデジタル映像信号を受信するので、伝送されるデジタル映像信号の解像度が変更されても、そのまま受信部２１０でのデジタル映像信号の間欠受信を継続できる。
【００７７】
以上、図７を用いて本開示の一実施形態に係る映像表示装置２００の機能構成例について説明した。続いて、本開示の一実施形態に係る映像送出装置１００の動作例について説明する。
【００７８】
［映像送出装置の動作例］
図９は、本開示の一実施形態に係る映像送出装置１００の動作例を示す流れ図である。図９に示した流れ図は、映像送出装置１００がデジタル映像信号をデジタル映像信号入力１１から取得し、取得したデジタル映像信号に対する映像処理を行なって、伝送路１２へ出力する際の動作例である。以下、図９を用いて本開示の一実施形態に係る映像送出装置１００の動作例について説明する。
【００７９】
映像送出装置１００は、デジタル映像信号入力１１からデジタル映像信号を映像処理部１１０で取得すると（ステップＳ１０１）、取得したデジタル映像信号を、映像表示装置２００単位に映像処理部１１０で分割してメモリ１２０ａ等に格納する（ステップＳ１０２）。また映像送出装置１００は、デジタル映像信号を映像処理部１１０で分割する際に、映像表示装置２００でデジタル映像信号の間欠受信動作を実行させるための付加情報を映像処理部１１０で生成する（ステップＳ１０３）。
【００８０】
ステップＳ１０３において映像処理部１１０で生成される付加情報は、上述したように、伝送路１２から出力されるデジタル映像信号のフレーム番号、フレームレート、水平画素数、垂直画素数、遅延時間の情報が含まれ得る。映像処理部１１０で生成される付加情報は、映像表示装置２００でのデジタル映像信号の間欠受信動作の他に、デジタル映像信号に基づく映像の表示に用いられる。
【００８１】
映像送出装置１００は、上記ステップＳ１０２でデジタル映像信号を分割し、上記ステップＳ１０３で付加情報を生成すると、分割したデジタル映像信号から生成されるフレームレートを変更したデジタル映像信号及び付加情報を送信する（ステップＳ１０４）。付加情報は、フレームレートを変更したデジタル映像信号の各フレームに挿入されて送信されてもよく、デジタル映像信号の伝送路１２とは別の伝送路１３で、デジタル映像信号とは独立して送信されてもよい。
【００８２】
また映像送出装置１００は、映像表示装置２００の機能上の制約でフレームレートを大きく上げられない場合は、図４に示したようにデジタル映像信号を分割し、その分割したデジタル映像信号を用いて、フレームレートを変更したデジタル映像信号を送出しても良い。
【００８３】
以上、図９を用いて本開示の一実施形態に係る映像送出装置１００の動作例について説明した。続いて、本開示の一実施形態に係る映像表示装置２００の動作例について説明する。
【００８４】
［映像表示装置の動作例］
図１０は、本開示の一実施形態に係る映像表示装置２００の動作例を示す流れ図である。図１０に示したのは、映像送出装置１００から送られるデジタル映像信号及び付加情報に基づいて映像を表示する際の、映像表示装置２００の動作例である。以下、図１０を用いて本開示の一実施形態に係る映像表示装置２００の動作例について説明する。
【００８５】
映像表示装置２００は、映像送出装置１００から送られるデジタル映像信号及び付加情報を受信すると（ステップＳ１１１）、受信した付加情報を用いて、自装置での映像抽出タイミングであるかどうかを付加情報判定部２２０で判定する（ステップＳ１１２）。映像送出装置１００から送られるデジタル映像信号は、上述のように分割され、またフレームレートが変更されたデジタル映像信号である。また映像送出装置１００から送られる付加情報は、上述のようにデジタル映像信号の分割の際に映像送出装置１００で生成される情報である。
【００８６】
なおデジタル映像信号及び付加情報の受信は受信部２１０で行われてもよいが、付加情報がデジタル映像信号の伝送路１２とは別の伝送路１３で、デジタル映像信号とは独立して送信される場合は、デジタル映像信号の受信が受信部２１０で、付加情報の受信が付加情報判定部２２０で、それぞれ行われてもよい。
【００８７】
上記ステップＳ１１２の判定の結果、自装置での映像抽出タイミングであると判断した場合、すなわち、受信部２１０が受信したフレームのデジタル映像信号が、自装置で表示すべき映像の基となるデジタル映像信号であると判断した場合は、映像表示装置２００は、映像処理部２４０からの指示によって受信部２１０にデジタル映像信号を抽出させる（ステップＳ１１３）。
【００８８】
映像表示装置２００は、上記ステップＳ１１３で、映像処理部２４０の指示によって受信部２１０にデジタル映像信号を抽出させると、その抽出したデジタル映像信号に基づいた映像を表示部２６０で表示する。また映像表示装置２００は、上記ステップＳ１１３でデジタル映像信号を抽出すると、必要に応じて映像処理部２４０において、抽出したデジタル映像信号に対し、スケーリング処理等の映像処理を実行し得る。
【００８９】
一方、ステップＳ１１２の判定の結果、自装置での映像抽出タイミングでない、すなわち、受信部２１０が受信したフレームのデジタル映像信号が、自装置で表示すべき映像の基となるデジタル映像信号でない場合は、映像表示装置２００は、ステップＳ１１３の処理はスキップし、そのデジタル映像信号は無視する。
【００９０】
続いて映像表示装置２００は、上記ステップＳ１１２の判定対象となったフレームが最終フレームであったかどうかを判断する（ステップＳ１１４）。ステップＳ１１４の判断の結果、上記ステップＳ１１２の判定対象となったフレームが最終フレームで無ければ、映像表示装置２００は、上記ステップＳ１１１に戻ってデジタル映像信号及び付加情報の受信を継続する。一方、ステップＳ１１４の判断の結果、上記ステップＳ１１２の判定対象となったフレームが最終フレームであれば、映像表示装置２００は、図１０に示された一連の処理を終了する。
【００９１】
本開示の一実施形態に係る映像表示装置２００は、図１０に示した動作を実行することで、伝送されるデジタル映像信号の全ての区間でなく、自装置が表示を担当する映像が伝送される区間のみ、受信部２１０を動作させることができる。このように受信部２１０でデジタル映像信号を間欠受信させることで、本開示の一実施形態に係る映像表示装置２００は、複数の映像表示装置２００が映像の表示を分担する際に、消費電力を削減することができる。
【００９２】
本開示の一実施形態に係る映像表示装置２００は、予め映像送出装置１００で解像度及びフレームレートが変更されたデジタル映像信号を受信するので、映像送出装置１００から伝送されるデジタル映像信号の解像度が変更されても、映像表示装置２００は自装置が表示を担当するフレームの抽出を続ければ良い。
【００９３】
従って、本開示の一実施形態に係る映像表示装置２００は、映像送出装置１００から伝送されるデジタル映像信号の解像度が変更されても、そのまま受信部２１０でのデジタル映像信号の間欠受信を継続できる。
【００９４】
＜３．まとめ＞
以上説明したように本開示の一実施形態によれば、映像表示装置２００の構成に合わせてデジタル映像信号を分割し、その分割したデジタル映像信号を用いて、フレームレートを変更したデジタル映像信号を送出する映像送出装置１００が提供される。
【００９５】
また、以上説明したように本開示の一実施形態によれば、映像送出装置１００から送出されるデジタル映像信号及び付加情報に基づき、自装置で表示すべきフレームの映像信号のみを抽出して、その映像信号に基づいて映像を表示する映像表示装置２００が提供される。
【００９６】
映像送出装置１００は、デジタル映像信号を分割し、フレームレートを変更して送出し、映像表示装置２００は、受信したデジタル映像信号の内、自装置で表示すべきフレームの映像信号のみを抽出する間欠受信動作を実行する。これにより映像表示装置２００は、複数の映像表示装置２００が映像の表示を分担する際に、消費電力を削減することができる。
【００９７】
図１に示した映像伝送システム１では、映像送出装置１００から送出される非圧縮の（符号化されていない）映像信号が、映像表示装置２００ａ、２００ｂ、２００ｄ、２００ｃの順に伝送されていく構成を有していたが、本開示は係る例に限定されるものではない。例えば図１１に示すように、映像伝送システム１は、映像送出装置１００から送出される非圧縮の映像信号が、映像表示装置２００ａ、２００ｂ、２００ｃ、２００ｄにそれぞれ伝送される構成であってもよい。
【００９８】
映像伝送システム１が図１１に示したように構成される場合は、映像信号が、映像表示装置２００ａ、２００ｂ、２００ｄ、２００ｃの順に伝送されていく必要はないので、図７に示した映像表示装置２００の構成例における送信部２７０は無くても良い。
【００９９】
本明細書の各装置が実行する処理における各ステップは、必ずしもシーケンス図またはフローチャートとして記載された順序に沿って時系列に処理する必要はない。例えば、各装置が実行する処理における各ステップは、フローチャートとして記載した順序と異なる順序で処理されても、並列的に処理されてもよい。
【０１００】
また、各装置に内蔵されるＣＰＵ、ＲＯＭおよびＲＡＭなどのハードウェアを、上述した各装置の構成と同等の機能を発揮させるためのコンピュータプログラムも作成可能である。また、該コンピュータプログラムを記憶させた記憶媒体も提供されることが可能である。また、機能ブロック図で示したそれぞれの機能ブロックをハードウェアで構成することで、一連の処理をハードウェアで実現することもできる。
【０１０１】
以上、添付図面を参照しながら本開示の好適な実施形態について詳細に説明したが、本開示はかかる例に限定されない。本開示の属する技術の分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０２】
なお、本技術は以下のような構成も取ることができる。
（１）
第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力する信号出力部を備える、信号出力装置。
（２）
分割された前記デジタル映像信号を表示させる情報が付与された画像情報を出力する画像情報出力部を更に備える、前記（１）に記載の信号出力装置。
（３）
前記画像情報はフレームごとに付加される、前記（２）に記載の信号出力装置。
（４）
前記信号出力部は、前記第１の解像度に前記第１のフレームレートを乗じたものと、前記第２の解像度の水平方向の画素数が同一であり、かつ垂直方向の画素数が倍である第３の解像度に第３のフレームレートを乗じたものとが一致する該第３のフレームレートで前記デジタル映像信号を出力する、前記（１）〜（３）のいずれかに記載の信号出力装置。
（５）
前記デジタル映像信号を蓄積する記憶部をさらに備え、
前記記憶部は、前記第２の解像度の画素数に合わせたバンク構造を構成し、入力される前記デジタル映像信号を分割領域ごとに異なるバンクメモリに蓄積する、前記（１）〜（４）のいずれかに記載の信号出力装置。
（６）
第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力するステップを備える、信号出力方法。
（７）
第１の解像度及び第１のフレームレートを有するデジタル映像信号から生成される、前記第１の解像度より低い第２の解像度及び前記第１の解像度に前記第１のフレームレートを乗じたものと、前記第２の解像度に第２のフレームレートを乗じたものとが一致する該第２のフレームレートからなる非圧縮のデジタル映像信号を受信する受信部と、
前記デジタル映像信号の内、自装置が表示を担当するフレームのみを抽出する画像抽出部と、
を備える、映像表示装置。
（８）
分割された前記デジタル映像信号を表示させる情報が付与された画像情報を取得する画像情報取得部を更に備える、前記（７）に記載の映像表示装置。
（９）
前記画像抽出部が抽出したフレームのデジタル映像信号に基づき映像を表示する表示部を備え、
前記表示部は、前記画像情報に含まれる遅延時間の情報に基づいて映像を遅延させて表示する、前記（８）に記載の映像表示装置。
（１０）
第１の解像度及び第１のフレームレートを有するデジタル映像信号から生成される、前記第１の解像度より低い第２の解像度及び前記第１の解像度に前記第１のフレームレートを乗じたものと、前記第２の解像度に第２のフレームレートを乗じたものとが一致する該第２のフレームレートからなる非圧縮のデジタル映像信号を受信するステップと、
前記デジタル映像信号の内、表示を担当するフレームのみを抽出するステップと、
を備える、映像表示方法。
（１１）
コンピュータに、第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力するステップを実行させる、コンピュータプログラム。
（１２）
コンピュータに、
第１の解像度及び第１のフレームレートを有するデジタル映像信号から生成される、前記第１の解像度より低い第２の解像度及び前記第１の解像度に前記第１のフレームレートを乗じたものと、前記第２の解像度に第２のフレームレートを乗じたものとが一致する該第２のフレームレートからなる非圧縮のデジタル映像信号を受信するステップと、
前記デジタル映像信号の内、表示を担当するフレームのみを抽出するステップと、
を実行させる、コンピュータプログラム。
（１３）
信号出力装置と、
複数の映像表示装置と、
を備え、
前記信号出力装置は、
第１の解像度及び第１のフレームレートを有するデジタル映像信号を、前記第１の解像度に前記第１のフレームレートを乗じたものと、前記第１の解像度より低い第２の解像度に第２のフレームレートを乗じたものとが一致するように該第２のフレームレートで非圧縮で出力する信号出力部を備え、
各前記映像表示装置は、
前記信号出力装置で生成される、前記第２の解像度及び前記第２のフレームレートからなる非圧縮のデジタル映像信号を受信する受信部と、
前記デジタル映像信号の内、自装置が表示を担当するフレームのみを抽出する画像抽出部と、
を備える、映像表示システム。
【符号の説明】
【０１０３】
１    映像伝送システム
１００    映像送出装置
１１０    映像処理部
１２０ａ、１２０ｂ、１２０ｃ、１２０ｄ    メモリ
１３０    付加情報挿入部
１４０    送出部
２００、２００ａ〜２００ｄ    映像表示装置
２１０    受信部
２２０    付加情報判定部
２３０    記憶部
２４０    映像処理部
２５０    映像メモリ
２６０    表示部
２７０    送信部
【図１】
2015001549.tif 000003
【図２】
2015001549.tif 000004
【図３】
2015001549.tif 000005
【図４】
2015001549.tif 000006
【図５】
2015001549.tif 000007
【図６】
2015001549.tif 000008
【図７】
2015001549.tif 000009
【図８】
2015001549.tif 000010
【図９】
2015001549.tif 000011
【図１０】
2015001549.tif 000012
【図１１】
2015001549.tif 000013